(57)【要約】【課題】風路構造の目詰まりにより送風量の減少が生じた場合に、電源電圧のばらつきの影響を受けにくくする乾燥暖房機を提供すること。【解決手段】初期電源電圧をＥ０、初期ヒーター電流をＩ０、初期ヒーター抵抗をＲ０、現在電源電圧をＥ、及び現在ヒーター電流をＩとしたとき、記憶手段は、装置設置後の最初の運転時にＥ０、Ｉ０、及びＲ０を記憶し、演算手段は、その後の運転中において、補正現在ヒーター抵抗Ｒを、Ｒ＝Ｅ０／（Ｉ×Ｅ／Ｅ０）を含む計算式により算出し、制御手段は、Ｒ＞Ｒ０であるとき循環送風機６の駆動モーターの回転数を大きくする。【選択図】図３
2010230277.tif 000002
【特許請求の範囲】
【請求項１】
室内に臨む吸入口と吹出口との間に形成された一連の風路構造を持つ装置本体と、
前記風路構造に前記吸入口から前記吹出口に向かう空気流を形成する循環送風機と、
前記循環送風機の下流側の前記風路構造に設けられ、前記空気流を加熱するともに、前記空気流の風量に応じて電気抵抗値を変化させ、該風量が大きい程電気抵抗値を小さくするヒーターと、
前記循環送風機の駆動モーターの回転数の回転数検知手段と、
前記循環送風機の駆動モーターの回転数を可変する制御手段と、
前記ヒーターに流れるヒーター電流を検知する電流検知手段と、
前記装置本体に供給されている電源電圧を検知する電源電圧検知手段と、
演算手段と、記憶手段とを備え、
初期電源電圧をＥ０、初期ヒーター電流をＩ０、初期ヒーター抵抗をＲ０、
現在電源電圧をＥ、及び現在ヒーター電流をＩとしたとき、
前記記憶手段は、装置設置後の最初の運転時にＥ０、Ｉ０、及びＲ０を記憶し、
前記演算手段は、補正現在ヒーター抵抗Ｒを、
Ｒ＝Ｅ０／（Ｉ×Ｅ／Ｅ０）
を含む計算式により算出し、
前記制御手段は、Ｒ＞Ｒ０であるとき前記循環送風機の駆動モーターの回転数を大きくすることを特徴とする乾燥暖房機。
【請求項２】
室内に臨む吸入口と吹出口との間に形成された一連の風路構造を持つ装置本体と、
前記風路構造に前記吸入口から前記吹出口に向かう空気流を形成する循環送風機と、
前記循環送風機の下流側の前記風路構造に設けられ、前記空気流を加熱するともに、前記空気流の風量に応じて電気抵抗値を変化させ、該風量が大きい程電気抵抗値を小さくするヒーターと、
前記循環送風機の駆動モーターの回転数の回転数検知手段と、
前記循環送風機の駆動モーターの回転数を可変する制御手段と、
前記ヒーターに流れるヒーター電流を検知する電流検知手段と、
前記装置本体に供給されている電源電圧を検知する電源電圧検知手段と、
演算手段と、記憶手段とを備え、
初期電源電圧をＥ０、初期ヒーター電流をＩ０、
現在電源電圧をＥ、比例定数をα、及び現在ヒーター電流をＩとしたとき、
前記記憶手段は、装置設置後の最初の運転時にＥ０、及びＩ０を記憶し、
前記演算手段は、基準電流Ｉａを、
Ｉａ＝Ｉ０＋α（Ｅ０−Ｅ）
を含む計算式により算出し、
前記制御手段は、Ｉ＞Ｉａであるとき前記循環送風機の駆動モーターの回転数を小さくし、Ｉ＜Ｉａのとき、前記循環送風機のモーター回転数を大きくする
ことを特徴とする乾燥暖房機。
【請求項３】
前記吸入口の前記空気流の温度を検知する吸入温度検出手段をさらに備え、
吸入空気流の初期温度をＴ０、吸入空気流の現在温度をＴ、及び比例定数をβとしたとき、
前記記憶手段は、装置設置後の最初の運転時にＴ０をさらに記憶し、
前記演算手段は、補正現在ヒーター抵抗Ｒを、
Ｒ＝Ｅ０／（Ｉ×Ｅ／Ｅ０）＋β（Ｔ０−Ｔ）
を含む計算式により算出する
ことを特徴とする請求項１記載の乾燥暖房機。
【請求項４】
前記吸入口の前記空気流の温度を検知する吸入温度検出手段をさらに備え、
吸入空気流の初期温度をＴ０、吸入空気流の現在温度をＴ、及び比例定数をβとしたとき、
前記記憶手段は、装置設置後の最初の運転時にＴ０をさらに記憶し、
前記演算手段は、基準電流Ｉａを、
Ｉａ＝Ｉ０＋α（Ｅ０−Ｅ）＋β（Ｔ０−Ｔ）
を含む計算式により算出する
ことを特徴とする請求項２記載の乾燥暖房機。
【発明の詳細な説明】
【技術分野】
【０００１】
本発明はＰＴＣ（Positive Temperature Coefficient）ヒーターを搭載した乾燥暖房機に関し、特にＰＴＣヒーターの電気的特性を利用した風路閉塞の判定とその補正動作に関するものである。
【背景技術】
【０００２】
ミストサウナ装置などを含む乾燥暖房機において、風路内に設置されるＰＴＣヒーターは、その送風量が多いほど対流による放熱量が増加するためヒーター出力が増加し、また、送風量が低下すると放熱量も低下しその出力も低下することが知られている。
【０００３】
図７は、ＰＴＣヒーターの通過風量と電気抵抗の特性を示す概略のグラフを示す図である。つまり、ＰＴＣヒーターは、図７に示されるように送風量によって電気抵抗が変化し送風量が多いほど電気抵抗は低下する特性となり、電圧一定の条件下であれば電流は送風量の変化とともに変化する。そのため、逆にヒーター通電電流の変化に基づいて送風量の増減を知ることができる。従来、このような特性を利用して、ヒーター電流を検知して電流値が一定となるようにファン送風量を変化させるものが提案されている（例えば、特許文献１参照）。
【先行技術文献】
【特許文献】
【０００４】
【特許文献１】特開平４−３２５１９９号公報
【発明の概要】
【発明が解決しようとする課題】
【０００５】
図８は、ＰＴＣヒーターの電源電圧と電気抵抗の特性を示す概略のグラフを示す図である。図９は、ＰＴＣヒーターの空気流の温度による電気抵抗の温度特性を示す概略のグラフを示す図である。ＰＴＣヒーターは、上記図７に示す特性に加えて、図８に示すように、電圧の上昇とともにヒーター抵抗が上昇する特性を持っている。また、図９に示すように、空気流温度の上昇とともにヒーター抵抗が上昇する特性も持っている。
【０００６】
上記従来の提案の場合、ヒーター電流を検知して電流値が一定となるようにファン送風量を変化させるので、ファン送風量の増加によりＰＴＣヒーターの出力が確保され、乾燥時間の遅延をある程度防止することができる。
【０００７】
ところで、使用条件のなかで、電源電圧は、設置地域、使用時間帯によって時々異なり高低が生じている。しかしながら、上記従来の提案の場合、予め設定した時の電流値設定値とその後の使用条件で、補正動作の基準となる電流値は同じ電源電圧下のものでないので、その時点での電流値は設定条件時と同じ条件での風路状態を反映していない。
【０００８】
すなわち、上記従来の提案の場合、図８の特性を考慮していない。そのため、風量制御に対して適切な指標とならず、例えば、電源電圧が高い時は電流値も高くなりフィルターなどが目詰まりして風量が低下していることを判断できない。一方、電源電圧が低い時は電流値も低くなりフィルターなどが目詰まりしていないにも関わらず目詰まりと誤判定をしてしまうような問題が生じる。
【０００９】
この発明は、上述のような課題を解決するためになされたもので、ＰＴＣヒーターを搭載した乾燥暖房機において、風路構造の目詰まりにより送風量の減少が生じた場合において、送風量を増加する制御の判定を、ＰＴＣヒーターの初期の電気抵抗と電流を記憶し、使用中ではＰＴＣヒーターの電気抵抗と電流値を記憶された初期値と比較することによって、電源電圧のばらつきの影響を受けにくくする乾燥暖房機を提供することを目的とする。
【課題を解決するための手段】
【００１０】
上述した課題を解決し、目的を達成するために、本発明の乾燥暖房機は、室内に臨む吸入口と吹出口との間に形成された一連の風路構造を持つ装置本体と、風路構造に吸入口から吹出口に向かう空気流を形成する循環送風機と、循環送風機の下流側の風路構造に設けられ、空気流を加熱するともに、空気流の風量に応じて電気抵抗値を変化させ、この風量が大きい程電気抵抗値を小さくするヒーターと、循環送風機の駆動モーターの回転数の回転数検知手段と、循環送風機の駆動モーターの回転数を可変する制御手段と、ヒーターに流れるヒーター電流を検知する電流検知手段と、装置本体に供給されている電源電圧を検知する電源電圧検知手段と、演算手段と、記憶手段とを備え、初期電源電圧をＥ０、初期ヒーター電流をＩ０、初期ヒーター抵抗をＲ０、現在電源電圧をＥ、及び現在ヒーター電流をＩとしたとき、記憶手段は、装置設置後の最初の運転時にＥ０、Ｉ０、及びＲ０を記憶し、演算手段は、補正現在ヒーター抵抗Ｒを、Ｒ＝Ｅ０／（Ｉ×Ｅ／Ｅ０）を含む計算式により算出し、制御手段は、Ｒ＞Ｒ０であるとき循環送風機の駆動モーターの回転数を大きくすることを特徴とする。
【００１１】
また、本発明の他の乾燥暖房機は、室内に臨む吸入口と吹出口との間に形成された一連の風路構造を持つ装置本体と、風路構造に吸入口から吹出口に向かう空気流を形成する循環送風機と、循環送風機の下流側の風路構造に設けられ、空気流を加熱するともに、空気流の風量に応じて電気抵抗値を変化させ、この風量が大きい程電気抵抗値を小さくするヒーターと、循環送風機の駆動モーターの回転数の回転数検知手段と、循環送風機の駆動モーターの回転数を可変する制御手段と、ヒーターに流れるヒーター電流を検知する電流検知手段と、装置本体に供給されている電源電圧を検知する電源電圧検知手段と、演算手段と、記憶手段とを備え、初期電源電圧をＥ０、初期ヒーター電流をＩ０、現在電源電圧をＥ、比例定数をα、及び現在ヒーター電流をＩとしたとき、記憶手段は、装置設置後の最初の運転時にＥ０、及びＩ０を記憶し、演算手段は、基準電流Ｉａを、Ｉａ＝Ｉ０＋α（Ｅ０−Ｅ）を含む計算式により算出し、制御手段は、Ｉ＞Ｉａであるとき循環送風機の駆動モーターの回転数を小さくし、Ｉ＜Ｉａのとき、循環送風機のモーター回転数を大きくすることを特徴とする。
【発明の効果】
【００１２】
本発明の乾燥暖房機によれば、初期電源電圧をＥ０、初期ヒーター電流をＩ０、初期ヒーター抵抗をＲ０、現在電源電圧をＥ、及び現在ヒーター電流をＩとしたとき、記憶手段は、装置設置後の最初の運転時にＥ０、Ｉ０、及びＲ０を記憶し、演算手段は、その後の運転中において、補正現在ヒーター抵抗Ｒを、Ｒ＝Ｅ０／（Ｉ×Ｅ／Ｅ０）を含む計算式により算出し、制御手段は、Ｒ＞Ｒ０であるとき循環送風機の駆動モーターの回転数を大きくするので、電源電圧のばらつきの影響を受けずに正確にヒーター抵抗値を得ることができ、この補正現在ヒーター抵抗が初期ヒーター抵抗に対し上昇している場合に、目詰まりによる風量低下があったと判断し、循環ファンの回転数を上昇させ風量を増加させ風量を補うので、ヒーター出力および温風到達距離を維持することができる。
【００１３】
また、本発明の他の乾燥暖房機によれば、初期電源電圧をＥ０、初期ヒーター電流をＩ０、現在電源電圧をＥ、比例定数をα、及び現在ヒーター電流をＩとしたとき、記憶手段は、装置設置後の最初の運転時にＥ０、及びＩ０を記憶し、演算手段は、その後の運転中において、基準電流Ｉａを、Ｉａ＝Ｉ０＋α（Ｅ０−Ｅ）を含む計算式により算出し、制御手段は、Ｉ＞Ｉａであるとき循環送風機の駆動モーターの回転数を小さくし、Ｉ＜Ｉａのとき、循環送風機のモーター回転数を大きくするので、電源電圧のばらつきの影響を受けずに正確に基準電流を得ることができ、現在ヒーター電流が基準電流に対して異なる値であるとき、目詰まりによる風量低下があったと判断し、循環ファンの回転数を上昇させ風量を増加させ風量を補うので、ヒーター出力および温風到達距離を維持することができる。
【図面の簡単な説明】
【００１４】
【図１】図１は、この発明に係る乾燥暖房機（ミストサウナ装置）の横断面図である。
【図２】図２は、この発明に係る乾燥暖房機（ミストサウナ装置）の制御ブロック図である。
【図３】図３は、この発明に係る実施の形態１のミストサウナ装置のフローチャートを示す図である。
【図４】図４は、この発明に係る乾燥暖房機（ミストサウナ装置）の実施の形態２のフローチャートを示す図である。
【図５】図５は、この発明に係る乾燥暖房機（ミストサウナ装置）の実施の形態３のフローチャートを示す図である。
【図６】図６は、この発明に係る乾燥暖房機（ミストサウナ装置）の実施の形態４のフローチャートを示す図である。
【図７】図７は、ＰＴＣヒーターの通過風量と電気抵抗の特性を示す概略のグラフを示す図である。
【図８】図８は、ＰＴＣヒーターの電源電圧と電気抵抗の特性を示す概略のグラフを示す図である。
【図９】図９は、ＰＴＣヒーターの空気流の温度による電気抵抗の温度特性を示す概略のグラフを示す図である。
【発明を実施するための形態】
【００１５】
以下に、本発明に係る乾燥暖房機の実施の形態としてミストサウナ装置を図面に基づいて詳細に説明する。なお、本実施の形態によりこの発明が限定されるものではない。
【００１６】
実施の形態１．
図１は、この発明に係る乾燥暖房機（ミストサウナ装置）の実施の形態１の横断面図である。図１に示されるように、ミストサウナ装置の装置本体２の室内に臨む前面は、前面パネル１により覆われている。そして、装置本体２には、前面パネル１を介して空気を入出する循環吸込口（吸込口）３と循環吹出口（吹出口）４とが設けられている。循環吸込口３と循環吹出口４との間に一連の風路構造５が形成されている。この風路構造５の上流の位置には、循環吸込口３から循環吹出口４に向かう空気流を形成する循環送風機６が設けられている。
【００１７】
風路構造５には、循環送風機６から下流（空気流の流れる方向）に向かって、温風ヒーター（ＰＴＣヒーター）７、超音波振動子（上流側）１０、蒸発促進材９、及び超音波振動子（下流側）１０、及びセパレータ１２がこの順番に配設されている。超音波振動子１０は、蒸発促進材９を挟むようにして水タンク１１の底位置に設けられている。
【００１８】
浴室空気は循環送風機６によって循環吸込口３から吸い込まれ風路構造５に送風される。風路構造５内においては、吸込した空気は温風ヒーター７によって加熱され、この加熱された空気は蒸発促進材９を通過して風路構成部材１３を通って浴室に戻る。蒸発促進材９は上流側の超音波振動子１０によって常に濡れた状態とされており、この濡れた状態の蒸発促進材９を加熱された空気が通過するので、蒸発促進材９表面の水分の蒸発が促進される。このため、通過した空気は蒸発促進材９の通過後に加湿され高湿空気となっている。蒸発促進材の９の下流側の超音波振動子１０によって発生されたミストは蒸発促進材９通過後の高湿空気と混合し浴室に吹き出される。高湿空気とミストの混合ではミストの蒸発は起こらず、可視ミストとして浴室に吹き出される。
【００１９】
図２は、この発明に係る乾燥暖房機の制御ブロック図である。制御動作の中心となる制御手段８には、記憶手段（ＥＰＲＯＭ：Erasable Programmable Read Only Memory等）２１と演算手段２２が接続されている。制御手段８は、モーター駆動回路２３を介して循環送風機６の駆動モーターを駆動する（駆動モーターの回転数を可変する）。一方、モーター回転数検知手段（回転数検知手段）２４にて検出された駆動モーターの回転数は、制御手段８に入力され、制御動作に使用される。
【００２０】
温風ヒーター７に流れる電流がヒーター電流検知手段（電流検知手段）２５にて検出され、制御手段８に入力されている。装置本体２に供給されている電源電圧を検知する電源電圧検知手段２６が設けられ、その出力が制御手段８に入力されている。また、循環吸込口３の近傍に、循環吸込口３から吸入した空気流の温度を検知する吸込温度サーミスタ（吸入温度検出手段）１４が設けられており、その出力が制御手段８に入力されている。
【００２１】
そして、制御手段８は、ヒーター電流検知手段２５、電源電圧検知手段２６、及び吸込温度サーミスタ１４によって検知された吸込温度といった状況情報の記憶手段２１への記憶を行い、また、それにもとづいて温風ヒーター７、超音波振動子１０、循環送風機（の駆動モーター）６の動作を制御する。
【００２２】
図３は、本実施の形態のミストサウナ装置のフローチャートを示す図である。図３に沿って動作を説明する。まず、ミストサウナ装置が所定の設置場所に設置された後、電源が入れられて（ステップ３ａ）、無線等により接続されているコントローラ等の操作によって設置後最初にミスト運転（暖房、乾燥）などのＰＴＣヒーター７を使用する温風使用モード（ステップ３ｂ）が選択運転されると、ステップ３ｃにて、制御手段８は、初期電源電圧Ｅ０、初期ヒーター電流Ｉ０、及び初期ヒーター抵抗Ｒ０が、記憶手段２１に記憶されているか否かを確認する。
【００２３】
そして、これら初期値が記憶手段２１に記憶されてないとき（ステップＳ３ｃ：Ｎｏ）安定した初期値を得るため例えば３０分間の平均値の、電源電圧、ヒーター電流、及びヒーター抵抗を取得して、これを初期電源電圧、初期ヒーター電流Ｉ０、及び初期ヒーター抵抗Ｒ０として記憶手段２１に記憶する（ステップＳ３ｄ）。記憶手段２１に記憶されたこれら初期値は、一度記憶されると、コントローラ等の操作によって意図的に消去されるまではクリアされない。
【００２４】
その後、演算手段２２により、補正された現在のヒーター抵抗が算出される（ステップ３ｅ）。この補正現在ヒーター抵抗Ｒは、初期電源電圧をＥ０、初期ヒーター電流をＩ０、現在電源電圧をＥ、及び現在ヒーター電流をＩとしたとき、
Ｒ＝Ｅ０／（Ｉ×Ｅ／Ｅ０）
の計算式により算出する（尚、計算式はその他の要素を含んでもよい）。このようにヒーター抵抗を現在電源電圧により補正することで、図８に示すような、電圧の上昇とともにヒーター抵抗も上昇するＰＴＣヒーター７の温度特性を補正することができる。
【００２５】
その後、ステップ３ｆに移行して、制御手段８は、算出された補正現在ヒーター抵抗Ｒと初期ヒーター抵抗Ｒ０とを比較する。そして、
Ｒ＞Ｒ０
であるときに（ステップＳ３ｆ：Ｙｅｓ）、つまり、補正現在ヒーター抵抗Ｒが初期ヒーター抵抗Ｒ０より大きくなっているとき（この判断は、例えば、５％程度の誤差を含む）には、風路構造５内に目詰まりが生じて総風量が低下したと判断し、循環送風機６の駆動モーターの回転数Ｎを所定回転数（例えば＋１００ｒｐｍ）だけ大きくする（ステップ３ｇ）。
【００２６】
その後、ステップ３ｅに戻り同じ動作を繰り返す。この動作は、算出された補正現在ヒーター抵抗Ｒが初期ヒーター抵抗Ｒ０以上になる（この判断も５％程度の誤差を含む）まで繰りかえされる。その後、循環送風機６の駆動モーターの回転数を維持した状態で（ステップ３ｈ）。運転タイマーがタイムアップするまで（ステップ３ｉ）、運転が行われる。
【００２７】
以上のように本実施の形態においては、初期電源電圧をＥ０、初期ヒーター電流をＩ０、初期ヒーター抵抗をＲ０、現在電源電圧をＥ、及び現在ヒーター電流をＩとしたとき、記憶手段２１は、装置設置後の最初の運転時にＥ０、Ｉ０、及びＲ０を記憶し、演算手段２２は、その後の運転中において、補正現在ヒーター抵抗Ｒを、Ｒ＝Ｅ０／（Ｉ×Ｅ／Ｅ０）を含む計算式により算出し、制御手段８は、Ｒ＞Ｒ０であるとき循環送風機６の駆動モーターの回転数を大きくするので、電源電圧のばらつきの影響を受けずに正確にヒーター抵抗値を得ることができ、この補正現在ヒーター抵抗が初期ヒーター抵抗に対し上昇している場合に、目詰まりによる風量低下があったと判断し、循環ファンの回転数を上昇させ風量を増加させ風量を補うので、ヒーター出力および温風到達距離を維持することができる。
【００２８】
実施の形態２．
図４は、この発明に係る乾燥暖房機（ミストサウナ装置）の実施の形態２のフローチャートを示す図である。図４において、ステップ３ａ〜３ｄ、及びステップ３ｈ、３ｉは、実施の形態１のものと同様の動作をする。
【００２９】
ステップ４ｅにおいて、初期電源電圧をＥ０、初期ヒーター電流をＩ０、現在電源電圧をＥ、及び比例定数をαとしたとき、本実施の形態の演算手段２２は、基準電流Ｉａを、            Ｉａ＝Ｉ０＋α（Ｅ０−Ｅ）
の計算式により算出する（尚、計算式はその他の要素を含んでもよい）。αはＰＴＣヒーター７固有の定数であり、電圧に対する電気抵抗の比例定数である。上記計算式により求めた基準電流Ｉａは、電圧変動に伴う電流変化を初期電流に加えることで、電圧による電流変化分を加味したものとなるため、現在電圧における基準電流となる。
【００３０】
その後、ステップ４ｆに移行して、制御手段８は、算出された基準電流Ｉａと現在ヒーター電流Ｉとを比較する。そして、
Ｉａ＝Ｉ
でないときに（ステップＳ４ｆ：Ｎｏ）、つまり、算出された基準電流Ｉａと現在ヒーター電流Ｉとが同じでないとき（例えば５％程度の誤差を含む）には、風路構造５内に目詰まりが生じて総風量が低下したと判断し、循環送風機６の駆動モーターの回転数を調整する（ステップ４ｇ）。
【００３１】
その後、ステップ４ｅに戻り同じ動作を繰り返す。この動作は、算出された基準電流Ｉａと現在ヒーター電流Ｉとが一致する（例えば５％程度の誤差を含む）まで繰りかえされる。
【００３２】
なお、ステップ４ｆ、４ｇの基準電流Ｉａと現在ヒーター電流Ｉとの比較、及び循環送風機６の駆動モーターの回転数の調整に関しては、現在のヒーター電流Ｉが基準電流Ｉａを超えるとき、つまり、
Ｉ＞Ｉａ
のとき、循環送風機６のモーター回転数を小さくする。
【００３３】
一方、現在のヒーター電流Ｉが基準電流Ｉａを下まわるとき、つまり、
Ｉ＜Ｉａ
のとき、循環送風機６のモーター回転数を大きくする。
【００３４】
以上のように本実施の形態においては、初期電源電圧をＥ０、初期ヒーター電流をＩ０、現在電源電圧をＥ、比例定数をα、及び現在ヒーター電流をＩとしたとき、記憶手段２１は、装置設置後の最初の運転時にＥ０、及びＩ０を記憶し、演算手段２２は、その後の運転中において、基準電流Ｉａを、Ｉａ＝Ｉ０＋α（Ｅ０−Ｅ）を含む計算式により算出し、制御手段８は、Ｉ＞Ｉａであるとき循環送風機６の駆動モーターの回転数を小さくし、Ｉ＜Ｉａのとき、循環送風機６のモーター回転数を大きくするので、電源電圧のばらつきの影響を受けずに正確な基準電流Ｉａを得ることができ、現在ヒーター電流が基準電流に対して異なる値であるとき、目詰まりによる風量低下があったと判断し、循環ファンの回転数を上昇させ風量を増加させ風量を補うので、ヒーター出力および温風到達距離を維持することができる。
【００３５】
実施の形態３．
図５は、この発明に係る乾燥暖房機（ミストサウナ装置）の実施の形態３のフローチャートを示す図である。図５において、ステップ３ａ、３ｂ、３ｄ、及びステップ３ｈ、３ｉは、実施の形態１のものと同様の動作をする。
【００３６】
本実施の形態においては、ステップ５ｃでは、実施の形態１のステップ３ｃにおいて、記憶手段２１に記憶した初期値にさらに加えて、吸入空気流の初期温度Ｔ０を記憶手段２１に記憶する。吸入空気流の温度は、吸込温度サーミスタ１４によって検出する。
【００３７】
その後、ステップ５ｅにて、演算手段２２により、さらに空気流の温度により補正された現在のヒーター抵抗が算出される。すなわち、本実施の形態の補正現在ヒーター抵抗Ｒは、吸入空気流の初期温度をＴ０、吸入空気流の現在温度をＴとしたとき、
Ｒ＝Ｅ０／（Ｉ×Ｅ／Ｅ０）＋β（Ｔ０−Ｔ）
の計算式により算出する（尚、計算式はその他の要素を含んでもよい）。βはＰＴＣヒーター固有の定数であり、温度に対する電気抵抗の比例定数である。
【００３８】
その後、ステップ５ｆに移行して、制御手段８は、算出された補正現在ヒーター抵抗Ｒと初期ヒーター抵抗Ｒ０とを比較する。そして、
Ｒ＞Ｒ０
であるときに（ステップＳ５ｆ：Ｙｅｓ）、つまり、補正現在ヒーター抵抗Ｒが初期ヒーター抵抗Ｒ０より大きくなっているときには、風路構造５内に目詰まりが生じて総風量が低下したと判断し、循環送風機６の駆動モーターの回転数Ｎを所定回転数だけ大きくする（ステップ５ｇ）。
【００３９】
その後、ステップ５ｅに戻り同じ動作を繰り返す。この動作は、算出された補正現在ヒーター抵抗Ｒが初期ヒーター抵抗Ｒ０以上になる）まで繰りかえされる。その後、循環送風機６の駆動モーターの回転数を維持した状態で（ステップ３ｈ）。運転タイマーがタイムアップするまで（ステップ３ｉ）、運転が行われる。
【００４０】
以上のように本実施の形態においては、ステップ５ｃにおいて、実施の形態１のものに加え、吸入空気流の初期温度Ｔ０を記憶手段２１に記憶させ、ステップ５ｅにて、吸入空気流の初期温度Ｔ０と吸入空気流の現在温度をＴとを用いて、さらに補正された補正現在ヒーター抵抗Ｒを算出するので、より精度を向上させることが可能となる。
【００４１】
実施の形態４．
図６は、この発明に係る乾燥暖房機（ミストサウナ装置）の実施の形態４のフローチャートを示す図である。図６において、ステップ３ａ、３ｂ、３ｄ、及びステップ３ｈ、３ｉは、実施の形態１のものと同様の動作をする。また、ステップ５ｃは、実施の形態３と同様である。
【００４２】
本実施の形態においては、ステップ５ｃでは、実施の形態１のステップ３ｃのものにさらに加えて、吸入空気流の初期温度Ｔ０を記憶手段２１に記憶する。
【００４３】
その後、ステップ６ｅにて、演算手段２２により、温度により補正された基準電流Ｉａが算出される。本実施の形態の基準電流Ｉａは、吸入空気流の初期温度をＴ０、吸入空気流の現在温度をＴとしたとき、
Ｉａ＝Ｉ０＋α（Ｅ０−Ｅ）＋β（Ｔ０−Ｔ）
の計算式により算出する（尚、計算式はその他の要素を含んでもよい）。βはＰＴＣヒーター固有の定数であり、温度に対する電気抵抗の比例定数である。
【００４４】
ステップ５ｃにおいて、実施の形態１のものに加え、吸入空気流の初期温度Ｔ０を記憶手段２１に記憶させ、ステップ５ｅにて、吸入空気流の初期温度Ｔ０と吸入空気流の現在温度をＴとを用いて、さらに補正された基準電流Ｉａを算出するので、より精度を向上させることが可能となる。
【産業上の利用可能性】
【００４５】
以上のように、本発明の乾燥暖房機は、ＰＴＣヒーターを搭載した乾燥暖房機に適用されて好適なものであり、特に目詰まりによる風量低下があったときに、循環ファンの回転数を上昇させ風量を増加させ風量を補う乾燥暖房機に適用されて最適なものである。
【符号の説明】
【００４６】
１  前面パネル
２  装置本体
３  循環吸込口（吸入口）
４  循環吹出口（吹出口）
５  風路構造
６  循環送風機
７  温風ヒーター（ＰＴＣヒーター）
８  制御手段
９  蒸発促進材
１０  超音波振動子
１１  水タンク
１２  セパレータ
１３  風路構成部材
１４  吸込温度サーミスタ（吸入温度検出手段）
２１  記憶手段
２２  演算手段
２３  モーター駆動回路
２４  モーター回転数検知手段（回転数検知手段）
２５  ヒーター電流検知手段（電流検知手段）
２６  電源電圧検知手段
【図１】
2010230277.tif 000003
【図２】
2010230277.tif 000004
【図３】
2010230277.tif 000005
【図４】
2010230277.tif 000006
【図５】
2010230277.tif 000007
【図６】
2010230277.tif 000008
【図７】
2010230277.tif 000009
【図８】
2010230277.tif 000010
【図９】
2010230277.tif 000011